(57)【要約】【課題】  葉書等の分離して使用するものを広告等の印刷物より切り取る必要がなく、かつその周囲に切り込みが入っているにもかかわらず、広告等の印刷物に付いていて紛失させることなく、しかも手間がかからず分離して使用するものを利用することが出来る印刷物を提供すること。【解決手段】  中央面部は、所定の箇所に所定の大きさの分離して使用するものが印刷されていること，  左側面部の裏面は、当該分離して使用するものの上部、下部、左側部の内側及び外側に該当する部分に一過性の粘着剤が塗布されていること，  右側面部の裏面は、当該分離して使用するものの上部、下部、右側部の内側及び外側に該当する部分に一過性の粘着剤が塗布されていること，  当該左側面部の裏面及び当該右側面部の裏面が、前記中央面部の裏面及び当該分離して使用するものに貼着していること  当該分離して使用するものの周囲に切り込みが入っていること、からなる。【選択図】  図１
2005238503.tif 000002
【特許請求の範囲】
【請求項１】
左側面部と中央面部と右側面部とからなる印刷物であって，
中央面部（１）は、所定の箇所に所定の大きさの分離して使用するもの（４）が印刷されていること，
左側面部（２）の裏面は、当該分離して使用するもの（４）の上部、下部、左側部の内側及び外側に該当する部分（５，６）に一過性の粘着剤が塗布されていること，
右側面部（３）の裏面は、当該分離して使用するもの（４）の上部、下部、右側部の内側及び外側に該当する部分（７，８）に一過性の粘着剤が塗布されていること，
当該左側面部（２）の裏面及び当該右側面部（３）の裏面が、前記中央面部（１）の裏面及び当該分離して使用するもの（４）に貼着していること
当該分離して使用するもの（４）の周囲に切り込みが入っていること、
からなることを特徴とする印刷物。
【請求項２】
前記印刷物が広告、ダイレクトメールであることを特徴とする請求項１又は２記載の印刷物。
【請求項３】
前記分離して使用するものが葉書、チケット、クーポン券であることを特徴とする請求項１記載の印刷物。
【発明の詳細な説明】
【技術分野】
【０００１】
本発明は、印刷物、特に中央面部に分離して使用するもの、たとえば葉書等が印刷され、かつその葉書等の周囲に切り込みが入っている印刷物に関する。
【背景技術】
【０００２】
従来、左側面部及び右側面部が開く広告用印刷物に関する技術がある（例えば、特許文献１参照。）。
又、左側面及び右側面が開く広告用印刷物に葉書が付いている技術がある（例えば、特許文献２参照。）。
【０００３】
【特許文献１】実用新案登録第３０９６６１３号公報（［０００５］）
【特許文献２】実用新案登録第３０９６９１０号公報（［０００５］〜［０００７］）
【発明の開示】
【発明が解決しようとする課題】
【０００４】
しかし、特許文献１には葉書が付いておらず、特許文献２は葉書が付いていて広告としての機能を効果的に発揮することが出来るが、なお、葉書を切り取らなければならないという手間が依然として残っていた。
【０００５】
又、広告等にチケット、クーポン券等が付いている場合があるがこれら等も広告から切り取らなければならないという問題点があった。
【０００６】
そこで、本発明は、葉書、チケット、クーポン券等の分離して使用するものを広告等の印刷物より切り取る必要がなく、かつその周囲に切り込みが入っているにもかかわらず、広告等の印刷物に付いていて紛失させることなく、しかも手間がかからず葉書、チケット、クーポン券等の分離して使用するものを利用することが出来る印刷物を提供することを目的とする。
【課題を解決するための手段】
【０００７】
左側面部と中央面部と右側面部とからなる印刷物であって，
中央面部は、所定の箇所に所定の大きさの分離して使用するものが印刷されていること，
左側面部の裏面は、当該分離して使用するものの上部、下部、左側部の内側及び外側に該当する部分に一過性の粘着剤が塗布されていること，
右側面部の裏面は、当該分離して使用するものの上部、下部、右側部の内側及び外側に該当する部分に一過性の粘着剤が塗布されていること，
当該左側面部の裏面及び当該右側面部の裏面が、前記中央面部の裏面及び当該分離して使用するものに貼着していること
当該分離して使用するものの周囲に切り込みが入っていること、からなる。
【０００８】
さらに、前記分離して使用するものが葉書、チケット、クーポン券であることが好適である。
【０００９】
本発明の印刷物には広告、ダイレクトメール等があり、分離して使用するものには葉書、チケット、クーポン券等がある。
また、本発明の印刷物は、広告、ダイレクトメール等その種類を問わない。
【００１０】
又、分離して使用するものも、葉書、チケット、クーポン券等に限らずその他のものでも良い。
【００１１】
さらに、本発明の印刷物は、本等の間に挟んで使用することも出来るものである。
【発明の効果】
【００１２】
本発明は以上の構成を有するので、印刷物に付いている葉書、チケット、クーポン券等を切り取ろうとする意思を持たずに、印刷物を開くと自動的に手にすることになる。したがって、分離して使用するものに対する使用者のアピール力が高く、例えば葉書の場合には、すぐに葉書を出してもらえるというレスポンス向上の期待がさらに多くなり、又チケット・クーポン券等の場合はそれらを利用してもらえるということが多くなる、という効果が生じるものである。
【発明を実施するための最良の形態】
【００１３】
本発明の実施の形態の一例を図面にしたがって説明する。
図１は本発明の印刷物を開いた状態を示す図である。
中央面部１はほぼ中央の場所に分離して使用するもの４が印刷されている。本図面ではこの分離して使用するもの４は四角形をしているが、丸でも三角形でも良く形状は問わない。
印刷物が広告の場合には分離して使用するもの４以外の部分には広告の内容等が印刷されているものである。
【００１４】
左側面部２の裏面に当該分離して使用するもの４の裏面又は表面（都合により裏面でも表面でも良い。）の上部、下部、左側部の内側に該当する部分５、外側に該当する部分６に一過性の粘着剤が塗布されているので、左側面部２を中央面部１の方に折って重ねると、左側面部２は分離して使用するもの４及び中央面部１の左側に貼着される。
なお、本図面では図示していないが、左側面部２の裏面の上部、下部、左側部、右側面部３の裏面の上部、下部、右側部、又は中央面部１の裏面の上部、下部にも一過性の粘着剤を塗布して良い。
【００１５】
右側面部３の裏面も同様に、当該分離して使用するもの４の裏面又は表面（都合により裏面でも表面でも良い。）の上部、下部、左側部の内側に該当する部分７、外側に該当する部分８に一過性の粘着剤が塗布されているので、右側面部３を中央面部１の方に折って重ねると、右側面部３は分離して使用するもの４及び中央面部１の右側に貼着される。
【００１６】
図２は左側面部２の裏面と右側面部３の裏面を中央面部１の裏面及び分離して使用するもの４に貼着した状態を示す図である。
貼着した後、分離して使用するもの４（例えば葉書等）の周囲をハーフカット装置を使用して半抜きする。すなわち、分離して使用するもの４の周囲のみに切り込みを入れる。
左側面部２の裏面と右側面部３の裏面の前記所定の箇所に一過性の粘着剤が塗布されているので、分離して使用するもの４の周囲に切り込みが入っても欠落したりすることがないものである。左、右に開く場合は、開く箇所を示した部分１０，１１より開けば容易に開くことが出来る。
【００１７】
図３は左側面部２と右側面部３を開いた状態を示す図である。
本図面では左側面部２から開いたので、右側面部３の裏面に分離して使用するもの４が貼着したまま附いており、左側面部２には分離して使用するもの４が附いていない状態を示している。右側面部３から開いた場合には左側面部２の裏面に分離して使用するもの４が貼着するのである。分離して使用するもの４が中央面部１から切り離されたことにより、分離して使用するもの４があった部分は四角形の穴９になっている。
【００１８】
右側面部３の裏面に貼着している分離して使用するもの４は一過性の粘着剤で附いているだけなので簡単に剥がすことが出来るものであり、切り取ろうとする意思を必要としないものである。
したがって分離して使用するもの４の使用及び利用価値が非常に高まるものである。
【００１９】
図４は本発明の印刷物の裏面図である。
通常、本発明の印刷物を開く場合、左側面部２，右側面部３から開くのものであるが、場合によっては裏から分離して使用するもの４を剥がしても良い。
【図面の簡単な説明】
【００２０】
【図１】本発明の印刷物を開いた状態を示す図である。
【図２】左側面部と右側面部を中央面部及び分離して使用するもの４に貼着した状態を示す図である。
【図３】左側面部と右側面部を開いた状態を示す図である。
【図４】本発明の印刷物の裏面を示す図である。
【符号の説明】
【００２１】
１          中央面部
２          左側面部
３          右側面部
４          分離して使用するもの
５，７      内側に該当する部分
６，８      外側に該当する部分
９          穴
１０，１１  開く箇所を示した部分
【図１】
2005238503.tif 000003
【図２】
2005238503.tif 000004
【図３】
2005238503.tif 000005
【図４】
2005238503.tif 000006